(57)【要約】【課題】洗濯物の量が乾燥許容量を超えている場合であっても、運転の安全性を確保しつつ、乾燥を進行させることができる洗濯乾燥機を提供する。【解決手段】第１の解決手段として、乾燥３により、標準の乾燥１の場合に比して最大回転数を１／３に低減した槽回転、及び攪拌翼を回転させる布ほぐしを、乾燥トータル時間（３時間）の中で夫々５分間及び２分間交互に、繰り返し行う。また、第２の解決手段として、乾燥２により、布ほぐしのみを乾燥トータル時間の中で繰り返し行う。【選択図】図４
2008302091.tif 000002
【特許請求の範囲】
【請求項１】
攪拌翼を有する洗濯槽を回転自在に設けてあり、洗濯槽内の洗濯物の量を洗いに際し検知する検知手段を有し、該検知手段の検知結果に基づいて設定された回転数により、乾燥を行う洗濯乾燥機において、
前記検知手段が検知した洗濯物の量が、所定量を超えるか否かを判定する判定手段と、
該判定手段が所定量を超えると判定した場合、乾燥に際し、設定された回転数より低い回転数で洗濯槽を回転させる手段と
を備えることを特徴とする洗濯乾燥機。
【請求項２】
攪拌翼を有する洗濯槽を回転自在に設けてあり、洗濯槽内の洗濯物の量を洗いに際し検知する検知手段を有し、該検知手段の検知結果に基づいて設定された回転数により、乾燥を行う洗濯乾燥機において、
前記検知手段が検知した洗濯物の量が、所定量を超えるか否かを判定する判定手段と、
該判定手段が所定量を超えると判定した場合、乾燥に際し、洗濯槽は回転させずに攪拌翼を回転させる手段と
を備えることを特徴とする洗濯乾燥機。
【請求項３】
前記判定手段が前記所定量を超えると判定した場合、該判定の結果を報知する報知手段を備えることを特徴とする請求項１又は２に記載の洗濯乾燥機。
【請求項４】
前記判定の結果を無効とする操作を受け付ける受付手段を備えることを特徴とする請求項１から３の何れか一つに記載の洗濯乾燥機。
【請求項５】
前記受け付け手段は、前記判定手段が判定したときから、乾燥を開始するときまで、前記操作を受け付けるようにしてあることを特徴とする請求項４に記載の洗濯乾燥機。
【請求項６】
前記判定手段が前記所定量を超えると判定した場合、計時を開始する計時手段を備え、
前記検知手段は、前記受付手段が操作を受け付けた場合、前記計時手段が所定時間を計時したときに、再度検知を行うようにしてあることを特徴とする請求項４又は５に記載の洗濯乾燥機。
【発明の詳細な説明】
【技術分野】
【０００１】
本発明は、乾燥機能を備えて布量検知が可能な洗濯乾燥機に関する。
【背景技術】
【０００２】
従来より、乾燥の実行前に洗濯物の量を検知し、検知した洗濯物の量が所定の乾燥許容量を超える場合は、乾燥時間、乾燥むら及びしわの増長を回避する目的で、乾燥を実行しない洗濯乾燥機が提供されている（特許文献１参照）。その一方で、乾燥時間、乾燥むら及びしわの増長、又は乾燥性能の低下があったとしても、乾燥の実行が望まれる場合があるため、検知した洗濯物の量次第で一律に乾燥を実行しない方式は、望ましいとは言えない。
【特許文献１】特許第２６５８２６８号公報
【発明の開示】
【発明が解決しようとする課題】
【０００３】
しかしながら、洗濯物の量が乾燥許容量を超えている場合に、洗濯槽の回転を伴う乾燥を実行したときは、乾燥許容量以下である場合と比較して、洗濯槽内の比較的上部にまで洗濯物が満たされた状態で乾燥を実行することになるため、洗濯物の乾燥度が進行したときに、水分の含有量が低下して膨脹した洗濯物が、回転する洗濯槽から飛び出しやすくなる、という問題があった。またこの場合は、洗濯槽外の部品と洗濯物とが接触したときに、洗濯槽の回転力によって、洗濯槽外の部品及び／又は洗濯物が損傷を受ける恐れがある。
【０００４】
本発明は斯かる事情に鑑みてなされたものであり、その目的とするところは、洗濯物の量が乾燥許容量を超えている場合に、洗濯槽及び／又は攪拌翼の駆動方法を変更することにより、運転の安全性を確保しつつ、乾燥を進行させることができる洗濯乾燥機を提供することにある。
【課題を解決するための手段】
【０００５】
本発明に係る洗濯乾燥機は、攪拌翼を有する洗濯槽を回転自在に設けてあり、洗濯槽内の洗濯物の量を洗いに際し検知する検知手段を有し、該検知手段の検知結果に基づいて設定された回転数により、乾燥を行う洗濯乾燥機において、前記検知手段が検知した洗濯物の量が、所定量を超えるか否かを判定する判定手段と、該判定手段が所定量を超えると判定した場合、乾燥に際し、設定された回転数より低い回転数で洗濯槽を回転させる手段とを備えることを特徴とする。
【０００６】
本発明にあっては、洗濯物の量が所定の乾燥許容量を超えていると判定した場合、乾燥に際し、洗濯物の量に応じて設定された回転数より低い回転数で洗濯槽を回転させ、洗濯物を攪拌させる。これにより、乾燥度が高まって洗濯物が膨脹した場合であっても、洗濯槽の回転によって生じる遠心力の作用で、洗濯物が洗濯槽から飛び出すことを抑止すると共に、洗濯物の乾燥を進行させる。
【０００７】
本発明に係る洗濯乾燥機は、攪拌翼を有する洗濯槽を回転自在に設けてあり、洗濯槽内の洗濯物の量を洗いに際し検知する検知手段を有し、該検知手段の検知結果に基づいて設定された回転数により、乾燥を行う洗濯乾燥機において、前記検知手段が検知した洗濯物の量が、所定量を超えるか否かを判定する判定手段と、該判定手段が所定量を超えると判定した場合、乾燥に際し、洗濯槽は回転させずに攪拌翼を回転させる手段とを備えることを特徴とする。
【０００８】
本発明にあっては、洗濯物の量が所定の乾燥許容量を超えていると判定した場合、洗濯槽を回転させずに攪拌翼を回転させ、洗濯物を攪拌させる。これにより、洗濯槽を回転させた場合と比較して乾燥性能は低下するが、乾燥度が高まって洗濯物が膨脹したときであっても、洗濯物が洗濯槽から飛び出すことを防止すると共に、洗濯物の乾燥を進行させる。
【０００９】
本発明に係る洗濯乾燥機は、前記判定手段が前記所定量を超えると判定した場合、該判定の結果を報知する報知手段を備えることを特徴とする。
【００１０】
本発明にあっては、洗濯物の量が所定の乾燥許容量を超えていると判定した場合、その旨を報知手段によって報知する。これにより、使用者には、乾燥の動作内容が変更されることが予告される。従って、使用者は、洗濯物の量を減じて調節することを促される。
【００１１】
本発明に係る洗濯乾燥機は、前記判定の結果を無効とする操作を受け付ける受付手段を備えることを特徴とする。
【００１２】
本発明にあっては、洗濯物の量が乾燥許容量を越えたとする判定結果を、無効とするための操作を受け付けた場合、乾燥の動作内容を変更しない設定とする。これにより、使用者が洗濯物の量を適切に減じて、前記操作を行った場合は、乾燥の動作内容を変更せず、洗濯物の量に応じて設定された内容で実行する。
【００１３】
本発明に係る洗濯乾燥機は、前記受け付け手段は、前記判定手段が判定したときから、乾燥を開始するときまで、前記操作を受け付けるようにしてあることを特徴とする。
【００１４】
本発明にあっては、洗濯物の量が乾燥許容量を超えるか否かを判定したときから、乾燥を開始するときまで、前記判定の結果を無効とする操作を随時受け付け可能としてある。これにより、前記操作の受け付けを可能とする期間が最大限確保される。
【００１５】
本発明に係る洗濯乾燥機は、前記判定手段が前記所定量を超えると判定した場合、計時を開始する計時手段を備え、前記検知手段は、前記受付手段が操作を受け付けた場合、前記計時手段が所定時間を計時したときに、再度検知を行うようにしてあることを特徴とする。
【００１６】
本発明にあっては、洗濯物の量が所定の乾燥許容量を超えていると判定した場合、その後所定時間を経過するまでに、前記判定の結果を取り消すための操作を受け付けたときは、再度洗濯物の量の検知及び乾燥許容量を超えるか否かの判定を行う。これにより、所定時間内に使用者が洗濯物の量を減じて前記操作を行った場合は、その都度、洗濯物の量が乾燥許容量を超えているか否かの判定を行う。
【発明の効果】
【００１７】
本発明によれば、洗濯物の量が所定の乾燥許容量を超えている場合、乾燥に際し、洗濯物の量に応じて決まる回転数より低い回転数で洗濯槽を回転させるか、又は洗濯槽を回転させずに攪拌翼を回転させて、洗濯物を攪拌させる。これにより、洗濯槽の回転中に洗濯物が洗濯槽から飛び出すことを抑止又は防止する。従って、運転の安全性を確保しつつ、乾燥を進行させることができる。また、洗濯槽外の部品及び／又は洗濯物が損傷を受ける恐れも回避できる。
【発明を実施するための最良の形態】
【００１８】
以下、本発明をその実施の形態を示す図面に基づいて詳述する。
（実施の形態１）
図１は、本発明の実施の形態１に係る洗濯乾燥機の構成を示す縦断面図である。図中１は外装であり、外装１の内部には、水槽（外槽）２が防振機構３によって吊時されている。水槽２には、洗濯槽を兼ねた有底円筒状の脱水槽４が内設され、脱水槽４の内底部には、洗濯水及び洗濯物を攪拌する攪拌翼５が回転自在に配置されている。水槽２の下方端部には、排水口２ａが設けられ、排水弁１３を介装した排水ホース１４が取り付けられている。
【００１９】
水槽２の外底部には、脱水槽４及び攪拌翼５を回転させるためのモータ７が配設されている。モータ７には、モータ７の回転数を検知する回転数検知装置２５が内蔵されている。モータ７の回転駆動力は、モータプーリ９及びＶベルト１０を介してセンタープーリ１１に伝達される。センタープーリ１１には、洗い軸１５、クラッチ１２及び減速機構８が連結され、減速機構８の先端は、水槽２内に突出して攪拌翼５及び脱水槽４が取り付けられている。
【００２０】
減速機構８は、脱水槽４の回転を制動するブレーキ機構２４を内蔵している。減速機構８のケースは、ブレーキドラムとして機能し、該ケースの外周には、ブレーキ機構２４のブレーキバンドを巻装している。該ブレーキバンドはブレーキレバーに連結され、更に該ブレーキレバーは、水槽２の外底部に設けた排水モータ２７に連結されている。また、排水モータ２７は、排水弁１３にも連結されている。
【００２１】
排水モータ２７は、クラッチ１２、ブレーキ機構２４及び排水弁１３に対する駆動手段として機能する。脱水に際し、排水モータ２７をオンして排水弁１３を開いた場合、クラッチ１２が入り、ブレーキ機構２４が開放となって、脱水槽４が回転する。洗い又はすすぎに際し、排水モータ２７をオフして排水弁１３を閉じた場合、クラッチ１２が切れ、ブレーキ機構２４が作動して脱水槽４の回転に制動がかかる。この場合、脱水槽４にモータ７の回転駆動力は伝達されず、減速機構８によって攪拌翼５が回転する。
【００２２】
外装１の内側上部の背面側には、水槽２と連通された水位センサ１７、及び水槽２に市水を給水するための給水弁１８が配設されている。外装１の上部は上面板１９で覆われている。上面板１９の中央には、蓋１６が開閉自在に設けられ、脱水槽４の上部を覆っている。蓋１６は、上面板１９の前面側で、蓋スイッチ２６によって開閉が検知され、蓋ロック機構によりロックされる。蓋ロック機構は、蓋１６の前面側直下に配された蓋ロック用ソレノイド２２をオンする都度、ロック／ロック解除が切り替わるラッチ構造となっている。
上面板１９の前面側には、操作部２０が設けられ、操作部２０は、上面板１９下部の操作部２０直下に配された制御回路２１に接続されている。
【００２３】
図２は、操作部２０の外観を示す説明図である。操作部２０には、スタートキー、電源入／切キー等の操作ボタン１１１〜１２０、及びＬＥＤによる表示ランプ１２１〜１３３を備えている。操作ボタン１１１〜１２０に対する操作は、制御回路２１に入力され、表示ランプ１２１〜１３３の表示内容は、制御回路２１が受け付けた操作、並びに洗い、すすぎ、脱水及び乾燥の進行に応じて更新される。
【００２４】
図３は、制御回路２１の概略構成を示すブロック図である。制御回路２１の中核となるのはマイクロコンピュータ４１のＣＰＵ４２である。マイクロコンピュータ４１は、ＣＰＵ４２、ＲＡＭ４３、ＲＯＭ４４、タイマー４５、システムバス４６、及び複数のＩ／Ｏポート４７から構成され、ＣＰＵ４２、ＲＡＭ４３、ＲＯＭ４４及びＩ／Ｏポート４７はシステムバス４６により互いに接続されている。タイマー４５はＣＰＵ４２に直結され、計時手段として使用される。
【００２５】
ＣＰＵ４２は、制御部４８及び演算部４９からなる。制御部４８は、ＲＯＭ４４に予め格納されている制御プログラムを読み出して命令の解読及び実行を行い、一時的に発生したデータをＲＡＭ４３に記憶する。演算部４９は、ＲＡＭ４３から読み出したデータ及びＩ／Ｏポート４７から入力したデータに対し、二進の加減算、論理演算、及び比較等の演算を行う。また、ＲＯＭ４４には各種制御対象機器を動作させるための手段、各種判断のために設定された条件、各種情報を制御するためのルール等を固定データとして記憶してある。
【００２６】
マイクロコンピュータ４１の複数のＩ／Ｏポート４７には、入力キー回路５２、表示装置駆動回路５３、蓋開閉状態検知回路５４、回転数検知回路５５、及びブザー駆動回路５６を介して、夫々操作部２０の各操作ボタン１１１〜１２０、操作部２０の各表示ランプ１２１〜１３３、蓋スイッチ２６、回転数検知装置２５、及び操作／警告音を鳴動するブザー２８が接続される。また、Ｉ／Ｏポート４７には、負荷駆動回路５７を介してモータ７、排水モータ２７、給水弁１８及び蓋ロック用ソレノイド２２が接続されている。
【００２７】
マイクロコンピュータ４１は、電源回路５０から電源端子Ｖｄｄ及びＶｓｓに所定電圧を供給されることにより動作し、リセット回路５１からＲＥＳＥＴ（リセット）信号を入力されることにより、リセットされる。マイクロコンピュータ４１のＣＰＵ４２が行う概略動作としては、例えば、蓋開閉状態検知回路５４を介して読み込んだ蓋スイッチ２６のオン／オフ状態及び回転数検知回路５５を介して読み込んだ回転数検知装置２５による回転数（単位時間あたりのパルス数）に基づいて、負荷駆動回路５７、表示装置駆動回路５３、及びブザー駆動回路５６を夫々駆動制御することが挙げられる。使用者が電源入／切キー（操作ボタン１１８）を押下して電源を投入した場合、ＣＰＵ４２の初期設定により標準コースが設定され（表示ランプ１２８の標準ＬＥＤが点灯）、使用者が洗乾切替キー（操作ボタン１２０）を押下する都度、洗いから脱水までの洗濯運転を実行するか、洗いから乾燥までの洗乾運転を行うかが切り替わるようになっている。
【００２８】
次に、標準的な洗乾運転を例にして、洗濯乾燥機による運転の一連の流れを説明する。使用者が脱水槽４内に洗濯物を投入し、洗乾切替キー（操作ボタン１２０）を押下して洗乾運転を選択した後にスタートキー（操作ボタン１１７）を押下した場合、先ず布量検知を実行し、検知した洗濯物の量に応じて、洗い及びすすぎにおける水位を決定すると共に、脱水及び乾燥を含めた運転の各段階における運転時間等のデータを決定する。その後、布量検知で決定された水位に見合う量の洗剤が使用者により投入され、運転が開始される。
【００２９】
ここで布量検知は、モータ７を駆動し、攪拌翼５を洗濯物による抵抗に抗して所定時間断続的に回転させることにより、モータ７の回転数の低下度を検知することによって洗濯物の量を検知する。具体的には、上述の攪拌中にモータ７の駆動を停止している間のモータ７の回転数を回転数検知装置２５により検知し、検知した回転数に基づいて洗濯物の量を決定する。
【００３０】
洗いでは、給水弁１８をオンして、布量検知により決定した水位まで市水を注入する給水と、攪拌翼５を回転させて洗濯物を洗濯する攪拌とを実行する。
【００３１】
すすぎでは、排水モータ２７をオンすることにより、排水弁１３を開いて脱水槽４内の水を流し去る排水と、排水完了後に脱水を行う中間脱水とを実行する。
中間脱水では、排水モータ２７をオンした状態でモータ７をオン／オフさせるか、又はオンさせ続けることにより、脱水槽４が回転する脱水駆動状態となる。その後、布量検知で決定した運転時間が経過した場合、モータ７をオフすることにより脱水槽４は惰性回転状態となり、更に所定時間が経過したときに、排水モータ２７をオフすることでブレーキ機構２４が作動して脱水槽４の回転が停止し、中間脱水が終了する。
次いで、洗いの場合と同様の給水、及び洗いにより洗濯物に含まれた洗剤成分を濯ぐための攪拌を実行する。また、前記給水及び前記攪拌を１回のすすぎとし、設定されたコースによってすすぎ回数が決められている。
【００３２】
脱水では、すすぎの場合と同様に、排水及び中間脱水を実行する。
【００３３】
乾燥では、脱水槽４を回転させることにより生じる風によって洗濯物に含まれる水分を蒸発させる槽回転と、脱水槽４を停止させた状態で攪拌翼５による攪拌を行う布ほぐしとを、布量検知で決定した運転時間が経過するまで繰り返し実行する。布ほぐしは、槽回転での遠心力により、脱水槽４の内壁に押圧された状態となっている洗濯物を内壁から剥がしてほぐすことにより、洗濯物の乾燥むら及びしわを防止することを目的として行うものである。乾燥が終了した場合、運転終了処理においてブザー２８を鳴動させ、洗乾運転の終了を報知する。
【００３４】
図４は、乾燥の種別及び動作内容を説明する図表である。乾燥１は、布量検知の結果が乾燥許容量を超えない標準的な場合に適用される。乾燥１では、槽回転時間及び布ほぐし時間を夫々５分及び２分とし、槽回転及び布ほぐしを乾燥トータル時間である３時間の中で、夫々交互に繰り返し行うようにしている。槽回転での脱水槽４の回転数（槽回転数）は、最大９００ｒｐｍとし、布ほぐしでの攪拌翼５の回転は、回転数を９０ｒｐｍとして、モータ７を０．８秒オン／２秒オフの周期で駆動する。
【００３５】
乾燥２は、布量検知の結果が乾燥許容量を超える場合に適用される。乾燥２では、乾燥度の進んだ洗濯物の一部が、槽回転中に脱水槽４から飛び出すことを回避するために、槽回転を行わないものとしている。従って乾燥トータル時間である３時間の中で、布ほぐしのみを繰り返し行うことになる。乾燥２では、所望の乾燥性能を得ることはできないものの、繰り返し行う布ほぐしにより、洗濯物に含まれる水分の蒸発を促進することができる。
【００３６】
乾燥３は、布量検知の結果が乾燥許容量を超える場合に適用される。乾燥３では、乾燥１に対し脱水槽４の回転数（槽回転数）を最大３００ｒｐｍまで下げているが、乾燥２には無い槽回転による乾燥効果が得られる。従って槽回転中の洗濯物の飛び出しを抑制しつつ、乾燥性能を乾燥２に比して向上させることができる。
【００３７】
図５は、洗乾運転におけるＣＰＵ４２の処理手順を示すフローチャートである。以下の処理は、マイクロコンピュータ４１のＲＯＭ４４に予め格納されている制御プログラムに従って、ＣＰＵ４２により実行される。洗濯物の量が乾燥許容量を超えていることを記憶しておくための容量超過フラグ（以下、容量超過ＦＬＧという）はＲＡＭ４３に記憶され、ＣＰＵ４２による初期設定時に「０」が書き込まれている。また、乾燥ＬＥＤ（表示ランプ１３３）は、使用者が洗乾運転を選択した段階でＣＰＵ４２の表示制御により点灯している。使用者がスタートキー（操作ボタン１１７）を押下することにより、以下の処理がスタートする。
【００３８】
ＣＰＵ４２は、先ず布量検知を行う（ステップＳ１１）。そしてＣＰＵ４２は、布量検知の結果が乾燥許容量である３ｋｇ以下であるか否かを判定する（ステップＳ１２）。布量検知の結果が３ｋｇを超えると判定した場合（ステップＳ１２：ＮＯ）、ＣＰＵ４２は、容量超過ＦＬＧに「１」を書き込む（ステップＳ１３）。その後ＣＰＵ４２は、乾燥ＬＥＤ（表示ランプ１３３）を１秒オン／１秒オフの周期で点滅させる（ステップＳ１４）。
運転において実行中の各段階（洗い、すすぎ、脱水又は乾燥）に対応するＬＥＤ（例えば、洗いの場合は、表示ランプ１２５の洗いＬＥＤ）は、０．５秒オン／０．５秒オフの周期で点滅させ、実行を終了した各段階（又は実行を控えている各段階）に対応するＬＥＤは消灯（又は点灯）させることで、運転中の進行表示を行うが、ここでは該進行表示と区別するために、点滅周期を進行表示の場合の２倍としている。
尚、使用者への乾燥容量超過の報知は、ＬＥＤ表示に限らず、ブザーによる音又は音声で行ってもよい。
【００３９】
布量検知の結果が３ｋｇ以下であると判定した場合（ステップＳ１２：ＹＥＳ）又はステップＳ１４の処理を終えた場合、ＣＰＵ４２は、洗い（ステップＳ１５）、すすぎ（ステップＳ１６）及び脱水（ステップＳ１７）を順次実行する。この場合、布量検知の結果が３ｋｇ以下であるときは、乾燥ＬＥＤ（表示ランプ１３３）は点灯状態であるが、布量検知の結果が３ｋｇを超えるときは、ステップＳ１４の処理結果により、乾燥ＬＥＤ（表示ランプ１３３）は点滅状態となる。この点滅は、後に乾燥の動作内容が変更される（即ち、図４に示す乾燥の種別が変更される）ことを、使用者に対して予告するものとなる。
【００４０】
次いでＣＰＵ４２は、容量超過ＦＬＧが「１」であるか否かを判定する（ステップＳ１８）。容量超過ＦＬＧが「１」でないと判定した場合（ステップＳ１８：ＮＯ）、ＣＰＵ４２は、乾燥許容量を超えていない場合に適用される標準的な乾燥１を実行する（ステップＳ１９）。容量超過ＦＬＧが「１」であると判定した場合（ステップＳ１８：ＹＥＳ）、ＣＰＵ４２は、乾燥許容量を超える場合に適用される乾燥２を実行する（ステップＳ２０）。ステップＳ１９又はステップＳ２０の処理を終えた場合、ＣＰＵ４２は、運転終了処理を実行し（ステップＳ２１）、処理を終了する。
尚、乾燥２に替えて、最大の槽回転数を乾燥２の場合より低減させた、乾燥３を実行してもよい。また、乾燥２又は３における布ほぐしの時間及び／又は回転数を変更してもよい（図４参照）。
【００４１】
図６は、乾燥キー（操作ボタン１１９）の受け付けに係るＣＰＵ４２の処理手順を示すフローチャートである。洗い、すすぎ及び脱水の各段階の実行に際し、以下の処理がＣＰＵ４２によってその都度起動され、前記各段階と並列に実行される。
ＣＰＵ４２は、そのときの段階（洗い、すすぎ又は脱水の何れか）が終了したか、即ち、布量検知で決定した各段階の運転時間を超えたか否かを判定する（ステップＳ３１）。そのときの段階が終了したと判定した場合（ステップＳ３１：ＹＥＳ）、ＣＰＵ４２は、処理を終了する。
【００４２】
そのときの段階が終了していないと判定した場合（ステップＳ３１：ＮＯ）、ＣＰＵ４２は、容量超過ＦＬＧが「１」か否かを判定する（ステップＳ３２）。容量超過フラグが「１」でないと判定した場合（ステップＳ３２：ＮＯ）、ＣＰＵ４２は、処理をステップＳ３１へ戻す。容量超過フラグが「１」であると判定した場合（ステップＳ３２：ＹＥＳ）、ＣＰＵ４２は、乾燥キー（操作ボタン１１９）の押下を受け付けたか否かを判定する（ステップＳ３３）。
【００４３】
乾燥キー（操作ボタン１１９）の押下を受け付けていないと判定した場合（ステップＳ３３：ＮＯ）、ＣＰＵ４２は、処理をステップＳ３１へ戻す。乾燥キー（操作ボタン１１９）の押下を受け付けたと判定した場合（ステップＳ３３：ＹＥＳ）、ＣＰＵ４２は、容量超過ＦＬＧに「０」を書き込むと共に（ステップＳ３４）、乾燥ＬＥＤ（表示ランプ１３３）の点滅を点灯に変更し（ステップＳ３５）、処理をステップＳ３１へ戻す。
尚、使用者への乾燥容量超過の報知をブザーによる音又は音声で行っている場合は、処理をステップＳ３１へ戻す前に、ブザー又は音声の出力を停止させる。
【００４４】
洗い、すすぎ又は脱水の各段階（夫々図５のステップＳ１５、ステップＳ１６又はステップＳ１７）を実行中に乾燥ＬＥＤ（表示ランプ１３３）が点滅している場合（即ち、容量超過ＦＬＧが「１」である場合）、使用者が乾燥キー（操作ボタン１１９）を押下したときは、以上の処理によって容量超過ＦＬＧの内容が「１」から「０」に変更される。これにより、図５の処理は、ステップＳ１８からステップＳ１９に移行し、標準の乾燥１が実行される。
従って、例えば、洗い、すすぎ又は脱水の各段階を実行中に、使用者が乾燥ＬＥＤ（表示ランプ１３３）の点灯に気付いた場合、使用者がスタートキー（操作ボタン１１７）を押下して当該段階を中断させ、洗濯物の量を乾燥許容量まで減じた上で、再びスタートキー（操作ボタン１１７）を押下して当該段階を再開させたときは、乾燥１によって洗濯物を十分に乾燥させることができる。
【００４５】
このように構成された実施の形態１に係る洗濯乾燥機にあっては、洗濯物の量が所定の乾燥許容量を超えている場合、最大回転数を標準の場合の１／３に低減させて洗濯槽を回転させるか、又は洗濯槽を回転させずに攪拌翼を断続的に正逆転させて、洗濯物を攪拌させる。これにより、洗濯槽の回転中に洗濯物が洗濯槽から飛び出すことを抑止又は防止する。従って、運転の安全性を確保しつつ、乾燥を進行させることができる。また、洗濯槽外の部品及び／又は洗濯物が損傷を受ける恐れも回避できる。
【００４６】
更に、洗濯物の量が所定の乾燥許容量を超えている場合、その旨を表示ランプで表示する。これにより、使用者には乾燥の動作内容が変更されることが予告され、使用者は洗濯物の量の調節を促される。
【００４７】
つまり、乾燥の動作内容が変更されることを、使用者に予告することが可能な洗濯乾燥機を提供する、という目的を達することもできる。
【００４８】
更にまた、洗濯物の量が乾燥許容量を越えたとする判定結果を無効とするための乾燥キー押下操作を受け付けた場合、乾燥の動作内容を変更しない設定とする。これにより、使用者が洗濯物の量を適切に減じて、乾燥キー押下操作を行った場合は、乾燥の動作内容を変更せず、洗濯物の量に応じて設定された内容で実行する。この場合、使用者が一旦電源をオフ／オンし、改めて乾燥の種別を設定するような煩雑さを回避している。
【００４９】
つまり、洗濯物の量が乾燥許容量を越えたとする判定結果を、簡便に無効とすることが可能な洗濯乾燥機を提供する、という目的を達することもできる。
【００５０】
更にまた、洗濯物の量が乾燥許容量を超えるか否かを判定したときから、洗い、すすぎ及び脱水を終えて乾燥を開始するときまで、前記判定の結果を無効とする操作を随時受け付け可能としてある。これにより、前記操作の受け付けを可能とする期間が最大限確保される。
【００５１】
つまり、洗濯物の量が乾燥許容量を超えるとする判定を、乾燥が開始されるまでの間、随時受け付けることが可能な洗濯乾燥機を提供する、という目的を達することもできる。
【００５２】
（実施の形態２）
図７は、実施の形態２に係る洗乾運転におけるＣＰＵ４２の処理手順を示すフローチャートである。乾燥ＬＥＤ（表示ランプ１３３）は、使用者が洗乾運転を選択した段階でＣＰＵ４２の表示制御により点灯している。使用者がスタートキー（操作ボタン１１７）を押下することにより、以下の処理がスタートする。
【００５３】
ＣＰＵ４２は、先ず布量検知を行う（ステップＳ４１）。そしてＣＰＵ４２は、布量検知の結果が乾燥許容量である３ｋｇ以下であるか否かを判定する（ステップＳ４２）。布量検知の結果が３ｋｇを超えると判定した場合（ステップＳ４２：ＮＯ）、ＣＰＵ４２は、容量超過ＦＬＧに「１」を書き込む（ステップＳ４３）。そしてＣＰＵ４２は、乾燥ＬＥＤ（表示ランプ１３３）を１秒オン／１秒オフの周期で点滅させ（ステップＳ４４）、その後２分間の停止を実行する（ステップＳ４５）。
尚、使用者への乾燥容量超過の報知は、ＬＥＤ表示に限らず、ブザーによる音又は音声で行ってもよい。
【００５４】
停止では、負荷駆動回路５７による全ての駆動を停止させる。停止の実行時間は、使用者が洗濯物を乾燥許容量まで減じる作業を行うのに必要な時間として、２分を想定している。
また、停止の実行に際し、図６の乾燥キー（操作ボタン１１９）の受け付けに係る処理がＣＰＵ４２によって起動され、停止と並列に実行される。これにより、停止の実行中に乾燥キー（操作ボタン１１９）の押下を受け付けた場合（ステップＳ３３：ＹＥＳ）、ＣＰＵ４２は、容量超過ＦＬＧに「０」を書き込むと共に（ステップＳ３４）、乾燥ＬＥＤ（表示ランプ１３３）の点滅を点灯に変更する（ステップＳ３５）。
【００５５】
停止の実行を終えた場合、ＣＰＵ４２は、容量超過ＦＬＧが「１」であるか否かを判定する（ステップＳ４６）。容量超過ＦＬＧが「１」でないと判定した場合（ステップＳ４６：ＮＯ）、ＣＰＵ４２は、処理をステップＳ４１へ戻す。これにより、停止（ステップＳ４５）と並列に実行される図６の乾燥キー（操作ボタン１１９）の受け付けに係る処理の中で、使用者が乾燥キー（操作ボタン１１９）を押下し、ＣＰＵ４２が容量超過ＦＬＧの内容を「１」から「０」に変更させた場合、ＣＰＵ４２は、布量検知の結果が３ｋｇ以下であると判定（ステップＳ４２：ＹＥＳ）するまで、ステップＳ４１乃至ステップＳ４６の処理をその都度実行する。従って、使用者は、洗濯物の量を漸次減じて、乾燥許容量である３ｋｇ以下となるように調整することができる。
【００５６】
尚、停止を実行中に、図６の乾燥キー（操作ボタン１１９）の受け付けに係る処理の中で、乾燥キー（操作ボタン１１９）の押下を受け付けた場合、その後スタートキー（操作ボタン１１７）の押下を受け付けたときに、停止を終了させるようにしてもよい。この場合、ＣＰＵ４２が、停止の残時間をスキップして布量検知に処理を移すようにすることにより、使用者が洗濯物の量を調整できる周期（ステップＳ４１乃至ステップＳ４６）を短縮することが可能となる。
【００５７】
布量検知の結果が３ｋｇ以下であると判定した場合（ステップＳ４２：ＹＥＳ）又は容量超過ＦＬＧが「１」であると判定した場合（ステップＳ４６：ＹＥＳ）、ＣＰＵ４２は、洗い（ステップＳ４７）、すすぎ（ステップＳ４８）及び脱水（ステップＳ４９）を順次実行する。この場合、布量検知の結果が３ｋｇ以下であるときは、乾燥ＬＥＤ（表示ランプ１３３）は点灯状態であるが、布量検知の結果が３ｋｇを超えるときは、ステップＳ４４の処理結果により、乾燥ＬＥＤ（表示ランプ１３３）は点滅状態となる。
【００５８】
次いでＣＰＵ４２は、容量超過ＦＬＧが「１」であるか否かを判定する（ステップＳ５０）。容量超過ＦＬＧが「１」でないと判定した場合（ステップＳ５０：ＮＯ）、ＣＰＵ４２は、乾燥許容量を超えていない場合に対応する標準の乾燥１を実行する（ステップＳ５１）。容量超過ＦＬＧが「１」であると判定した場合（ステップＳ５０：ＹＥＳ）、ＣＰＵ４２は、乾燥許容量を超える場合に対応して対策する乾燥２を実行する（ステップＳ５２）。ステップＳ５１又はステップＳ５２の処理を終えた場合、ＣＰＵ４２は運転終了処理を実行し（ステップＳ５３）、処理を終了する。
尚、乾燥２に替えて、槽回転数を乾燥２の場合より低下させた乾燥３を実行してもよい。また、乾燥３における槽回転の時間を変更してもよく、更にまた、乾燥２又は３における布ほぐしの時間及び／又は回転数を変更してもよい。
【００５９】
その他、実施の形態１に対応する箇所には同様の符合を付して、その詳細な説明を省略する。
【００６０】
このように構成された実施の形態２に係る洗濯乾燥機にあっては、洗濯物の量が所定の乾燥許容量を超えていると判定した場合、その後２分間を経過するまでに、前記判定の結果を取り消すための乾燥キー押下操作を受け付けたときは、再度洗濯物の量の検知及び乾燥許容量を超えるか否かの判定を行う。これにより、所定時間内に使用者が洗濯物の量を減じて乾燥キー押下操作を行った場合は、その都度、洗濯物の量が乾燥許容量を超えているか否かの判定を行う。この場合、使用者が一旦電源をオフ／オンし、改めて乾燥の種別を設定するような煩雑さを回避している。
【００６１】
つまり、洗濯物の量が乾燥許容量を下回るまで、洗濯物の量を何度でも簡便に調節することが可能な洗濯乾燥機を提供する、という目的を達することもできる。
【図面の簡単な説明】
【００６２】
【図１】本発明の実施の形態１に係る洗濯乾燥機の構成を示す縦断面図である。
【図２】操作部の外観を示す説明図である。
【図３】制御回路の概略構成を示すブロック図である。
【図４】乾燥の種別及び動作内容を説明する図表である。
【図５】洗乾運転におけるＣＰＵの処理手順を示すフローチャートである。
【図６】乾燥キーの受け付けに係るＣＰＵの処理手順を示すフローチャートである。
【図７】実施の形態２に係る洗乾運転におけるＣＰＵの処理手順を示すフローチャートである。
【符号の説明】
【００６３】
１    外装
２    水槽
２ａ  排水口
３    防振機構
４    脱水槽
５    攪拌翼
７    モータ
８    減速機構
９    モータプーリ
１０  Ｖベルト
１１  センタープーリ
１２  クラッチ
１３  排水弁
１４  排水ホース
１５  洗い軸
１６  蓋
１７  水位センサ
１８  給水弁
１９  上面板
２０  操作部
２１  制御回路
２２  蓋ロック用ソレノイド
２４  ブレーキ機構
２５  回転数検知装置
２６  蓋スイッチ
２７  排水モータ
２８  ブザー
４１  マイクロコンピュータ
４２  ＣＰＵ
４３  ＲＡＭ
４４  ＲＯＭ
４５  タイマー
４６  システムバス
４７  Ｉ／Ｏポート
４８  制御部
４９  演算部
５０  電源回路
５１  リセット回路
５２  入力キー回路
５３  表示装置駆動回路
５４  蓋開閉状態検知回路
５５  回転数検知回路
５６  ブザー駆動回路
５７  負荷駆動回路
１１１〜１２０  操作ボタン
１２１〜１３３  表示ランプ
【図１】
2008302091.tif 000003
【図２】
2008302091.tif 000004
【図３】
2008302091.tif 000005
【図４】
2008302091.tif 000006
【図５】
2008302091.tif 000007
【図６】
2008302091.tif 000008
【図７】
2008302091.tif 000009